(57)【特許請求の範囲】
【請求項１】
データ記憶手段を有する電子制御部とデータ書き換え制御部との間に単一のシリアル通信伝送ラインが配設され、上記データ書き換え制御部より上記電子制御部のデータ記憶手段にデータ書き換え電圧および書き換えデータを伝送して上記データ記憶手段に記憶されるデータの内容を書き換える電子機器のデータ書き換え装置であって、
上記電子制御部は上記書き換えデータを一時的に記憶する一時記憶手段を有し、
データ書き換え時には、上記データ書き換え制御部より上記書き換えデータを上記シリアル通信伝送ラインを介して上記電子制御部の一時記憶手段に伝送して記憶させた後、上記データ書き換え制御部より上記データ書き換え電圧を上記シリアル通信伝送ラインを介して上記電子制御部のデータ記憶手段に伝送すると共に、上記一時記憶手段より上記書き換えデータを読み出して上記データ記憶手段に伝送してデータの書き換えを行うことを特徴とする電子機器のデータ書き換え装置。
【請求項２】
データ記憶手段を有する電子制御部とデータ書き換え制御部との間に単一のシリアル通信伝送ラインが配設され、上記データ書き換え制御部より上記電子制御部のデータ記憶手段にデータ書き換え電圧および書き換えデータを伝送して上記データ記憶手段に記憶されるデータの内容を書き換える電子機器のデータ書き換え装置であって、
上記電子制御部は上記データ書き換え電圧に上記書き換えデータの変調信号を重畳した重畳信号から上記データ書き換え電圧および上記書き換えデータを分離して得る信号分離手段を有し、
データ書き換え時には、上記データ書き換え制御部より上記重畳信号を上記シリアル通信伝送ラインを介して上記電子制御部の上記信号分離手段に伝送し、この信号分離手段より上記データ記憶手段に上記データ書き換え電圧および上記書き換えデータを伝送してデータの書き換えを行い、
上記変調信号は、上記書き換えデータをパルス数、電圧レベル、パルス幅、周波数等で変調したものであることを特徴とする電子機器のデータ書き換え装置。
【請求項３】
データ記憶手段を有する電子制御部とデータ書き換え制御部との間に第１および第２のシリアル通信伝送ラインが配設されて全二重通信が行われると共に、上記データ書き換え制御部より上記電子制御部のデータ記憶手段にデータ書き換え電圧および書き換えデータを伝送して上記データ記憶手段に記憶されるデータの内容を書き換える電子機器のデータ書き換え装置であって、
データ書き換え時には、上記第１のシリアル通信伝送ラインを使用する半二重通信方式に切り換えると共に、上記第２のシリアル通信伝送ラインをデータ書き換え電圧伝送ラインとし、
上記データ書き換え制御部は、上記データ書き換え電圧を上記第２のシリアル通信伝送ラインを介して上記電子制御部のデータ記憶手段に伝送すると共に、上記書き換えデータを上記第１のシリアル通信伝送ラインを介して上記電子制御部のデータ記憶手段に伝送してデータの書き換えを行うことを特徴とする電子機器のデータ書き換え装置。
【発明の詳細な説明】
【０００１】
【産業上の利用分野】
この発明は、電子機器のデータ書き換え装置に関し、特に例えば車両用電子コントロールユニット（以下、ＥＣＵと称する）内に含まれるＥＥＰＲＯＭのデータ内容を外部より書き換える場合に用いて好適な電子機器のデータ書き換え装置に関する。
【０００２】
【従来の技術】
図７は、車両用ＥＣＵに内蔵されたＥＥＰＲＯＭのデータ内容を診断装置を用いて書き換える従来のデータ書き換え装置を示すブロック図である。
図において、１０は車両用ＥＣＵである。このＥＣＵ１０は、エンジン制御などを行うＣＰＵ１１と、このＣＰＵ１１用の電気的に書き込み消去が可能な不揮発性ＲＯＭであるいわゆるＥＥＰＲＯＭ１２と、後述する診断装置とシリアル通信を行うためのインタフェース部１３とで構成される。
【０００３】
２０は診断装置であって、この診断装置２０は、診断装置用ＣＰＵ２１と、ＥＣＵ１０のＥＥＰＲＯＭ１２のデータ内容を書き換える際にＥＥＰＲＯＭ１２のデータ書き換え電圧供給端子Ｖppに供給するデータ書き換え電圧を発生するデータ書き換え電圧発生器２２と、ＥＣＵ１０とシリアル通信を行うためのインタフェース部２３とで構成される。
３１は、ＥＣＵ１０のインタフェース部１３と診断装置２０のインタフェース部２３との間を接続するシリアル通信伝送ライン、３２は診断装置２０の電圧発生器２２からのデータ書き換え電圧をＥＥＰＲＯＭ１２のデータ書き換え電圧供給端子Ｖppに供給するための書き換え電圧伝送ラインである。
【０００４】
次に動作について説明する。
ＥＣＵ１０のＥＥＰＲＯＭ１２のデータ内容を書き換えるときは、図８Ｂに示すように書き換え電圧伝送ライン３２の電圧が０Ｖから能動状態になるように５Ｖに上昇された後、データ書き換え電圧としての１２Ｖに設定される。この１２Ｖの電圧は診断装置２０内のデータ書き換え電圧発生器２２より出力され、書き換え電圧伝送ライン３２を介してＥＥＰＲＯＭ１２のデータ書き換え電圧供給端子Ｖppに供給される。
【０００５】
次に、図８Ａに示すようにＥＥＰＲＯＭ１２にデータ書き換え電圧が供給されて所定時間Ｔ1後からＴ0時間内に、診断装置２０のＣＰＵ２１からインタフェース部２３、伝送ライン３１、インタフェース部１３およびＥＣＵ１０のＣＰＵ１１を介してＥＥＰＲＯＭ１２に書き換えデータ（図示の例では“２”が１０の位、“３”が１の位で両者を組み合わせた“２３”によって例えば点火コイルが断線していることを表す）が伝送され、ＥＥＰＲＯＭ１２のデータ内容の書き換えが行われる。
【０００６】
その後、Ｔ2時間後に書き換え電圧伝送ライン３２の電圧は５Ｖに戻され、その後に５Ｖ電圧もオフとされて書き換えが完了する。
なお、Ｔ0はデータ送信時間である。また、１２Ｖの書き換え電圧発生時間をＴvppとするとき、Ｔvpp≧（Ｔ1＋Ｔ0＋Ｔ2）の関係を満たしている。
【０００７】
【発明が解決しようとする課題】
従来の電子機器のデータ書き換え装置は以上のように構成されているので、ＥＥＰＲＯＭ１２のデータ内容を書き換えるためには書き換えデータを送信するためのシリアル通信伝送ライン３１の他にデータ書き換え電圧を送信するためのデータ書き換え電圧伝送ライン３２を別個に設ける必要があり、ＥＣＵが増加するのに比例して配線数やコネクタピン数が大幅に増加する等の問題点があった。
【０００８】
この発明はこのような問題点を解決するためになされたもので、ＥＣＵ等の電子制御部の増加時に配線数やコネクタピン数の増加を軽減し得る電子機器のデータ書き換え装置を得ることを目的となる。
【０００９】
【課題を解決するための手段】
請求項１の発明に係る電子機器のデータ書き換え装置は、データ記憶手段を有する電子制御部とデータ書き換え制御部との間に単一のシリアル通信伝送ラインが配設され、データ書き換え制御部より電子制御部のデータ記憶手段にデータ書き換え電圧および書き換えデータを伝送してデータ記憶手段に記憶されるデータの内容を書き換える電子機器のデータ書き換え装置であって、電子制御部は書き換えデータを一時的に記憶する一時記憶手段を有し、データ書き換え時には、データ書き換え制御部より書き換えデータを単一のシリアル通信伝送ラインを介して電子制御部の一時記憶手段に伝送して記憶させた後、データ書き換え制御部よりデータ書き換え電圧を単一のシリアル通信伝送ラインを介して電子制御部のデータ記憶手段に伝送すると共に、一時記憶手段より書き換えデータを読み出してデータ記憶手段に伝送してデータの書き換えを行うものである。
【００１０】
請求項２の発明に係る電子機器のデータ書き換え装置は、データ記憶手段を有する電子制御部とデータ書き換え制御部との間に単一のシリアル通信伝送ラインが配設され、データ書き換え制御部より電子制御部のデータ記憶手段にデータ書き換え電圧および書き換えデータを伝送してデータ記憶手段に記憶されるデータの内容を書き換える電子機器のデータ書き換え装置であって、電子制御部はデータ書き換え電圧に書き換えデータの変調信号を重畳した重畳信号からデータ書き換え電圧および書き換えデータを分離して得る信号分離手段を有し、データ書き換え時には、データ書き換え制御部より重畳信号を単一のシリアル通信伝送ラインを介して電子制御部の信号分離手段に伝送し、この信号分離手段よりデータ記憶手段にデータ書き換え電圧および書き換えデータを伝送してデータの書き換えを行い、変調信号として書き換えデータをパルス数、電圧レベル、パルス幅、周波数等で変調した変調信号を使用するものである。
【００１２】
請求項３の発明に係る電子機器のデータ書き換え装置は、データ記憶手段を有する電子制御部とデータ書き換え制御部との間に第１および第２のシリアル通信伝送ラインが配設されて全二重通信が行われると共に、データ書き換え制御部より電子制御部のデータ記憶手段にデータ書き換え電圧および書き換えデータを伝送してデータ記憶手段に記憶されるデータの内容を書き換える電子機器のデータ書き換え装置であって、データ書き換え時には、第１のシリアル通信伝送ラインを使用する半二重通信方式に切り換えると共に、第２のシリアル通信伝送ラインをデータ書き換え電圧伝送ラインとし、データ書き換え制御部は、データ書き換え電圧を第２のシリアル通信伝送ラインを介して電子制御部のデータ記憶手段に伝送すると共に、書き換えデータを第１のシリアル通信伝送ラインを介して電子制御部のデータ記憶手段に伝送してデータの書き換えを行うものである。
【００１３】
【作用】
請求項１の発明においては、単一のシリアル通信伝送ラインを使用してデータ書き換え電圧をデータ記憶手段に伝送してデータ内容の書き換えを行うため、データ書き換え電圧を伝送するための専用の伝送ラインが不要となることから伝送ライン数を少なくでき、電子制御部の増加時に配線数やコネクタピン数の増加を軽減することが可能となり、また、外来ノイズ等が伝送ラインに重畳される率を低減することが可能となる。
【００１４】
請求項２の発明においては、単一のシリアル通信伝送ラインを使用してデータ書き換え電圧をデータ記憶部に伝送してデータ内容の書き換えを行うため、データ書き換え電圧を伝送するための専用の伝送ラインが不要となることから伝送ライン数を少なくでき、電子制御部の増加時に配線数やコネクタピン数の増加を軽減することが可能となり、また、外来ノイズ等が伝送ラインに重畳される率を低減することが可能となる。
また、書き換えデータをパルス数、電圧レベル、パルス幅、周波数等で変調した変調信号を使用するものであり、電子制御部の信号分離手段では変調信号よりデータ書き換え電圧および書き換えデータを容易に分離することが可能となる。
【００１６】
請求項３の発明においては、全二重通信を行うための一方のシリアル通信伝送ラインを介してデータ書き換え電圧を伝送するため、データ書き換え電圧を伝送するための専用の伝送ラインが不要となることから伝送ライン数を少なくでき、電子制御部の増加時に配線数やコネクタピン数の増加を軽減することが可能となり、また、外来ノイズ等が伝送ラインに重畳される率を低減することが可能となる。
【００１７】
【実施例】
以下、この発明に係る電子機器のデータ書き換え装置の一実施例を、車両に搭載されているＥＣＵに適用した場合を例に取り、図を参照しながら説明する。
実施例１．
図１はこの発明の実施例１を示すブロック図である。図において、図７と対応する部分には同一符号を付し、その詳細説明は省略する。
本実施例は、電子制御部としての車両用ＥＣＵ１０Ａとデータ書き換え制御部としての診断装置２０とが１本のシリアル通信伝送ライン３１で接続される半二重通信方式の例である。この半二重通信方式は両方向通信方式の一種で、送信と受信を交互に切り換えて相互の通信を行う単信方式である。
【００１８】
診断装置２０のデータ書き換え電圧発生器２２で発生されるデータ書き換え電圧（例えば１２Ｖ）を伝送ライン３１を介してＥＣＵ１０Ａのインタフェース部１３Ａに伝送する。
また、インタフェース部１３Ａに伝送されてきたデータ書き換え電圧を信号分離手段としての信号分離回路１４でもって分離してデータ記憶手段としてのＥＥＰＲＯＭ１２の端子Ｖppに供給する。
また、ＥＣＵ１０Ａには一時記憶手段としてのＲＡＭ１５を設ける。
本実施例は以上のように構成し、その他は図７の例と同様に構成する。
【００１９】
次に動作について説明する。
ＥＣＵ１０ＡのＥＥＰＲＯＭ１２のデータ内容を書き換えるときは、図２に示すように、Ｔ0の時間内に、診断装置２０のＣＰＵ２１からインタフェース部２３、シリアル通信伝送ライン３１、インタフェース部１３ＡおよびＥＣＵ用ＣＰＵ１１を介してＲＡＭ１５に書き換えデータ（図示の例では“２３”）が伝送されて一時的に蓄えられる。
そして、Ｔ2時間後に、診断装置２０のＣＰＵ２１は電圧発生器２２よりデータ書き換え電圧（本例では１２Ｖ）を出力させる。このデータ書き換え電圧はシリアル通信伝送ライン３１を介してＥＣＵ１０Ａのインタフェース部１３Ａに伝送される。
【００２０】
インタフェース部１３Ａに供給されるデータ書き換え電圧は信号分離回路１４で書き換えデータから分離された後にＥＥＰＲＯＭ１２の端子Ｖppに供給される。
電圧発生器２２よりデータ書き換え電圧が出力されている時間Ｔvpp内に、ＥＣＵ１０ＡのＣＰＵ１１はＲＡＭ１５より書き換えデータを読み出してＥＥＰＲＯＭ１２に伝送する。これにより、ＥＥＰＲＯＭ１２のデータ内容の書き換えが行われる。
以上の伝送手順を繰り返すことで、ＥＥＰＲＯＭ１２のデータ内容の全てを書き換えることができる。
【００２１】
このように本実施例においては、シリアル通信伝送ライン３１を使用してデータ書き換え電圧を診断装置２０のＣＰＵ２１からＥＣＵ１０ＡのＥＥＰＲＯＭ１２の端子Ｖppに伝送してデータ内容の書き換えを行うため、データ書き換え電圧を伝送するための専用の書き換え電圧伝送ライン３２が不要となることから伝送ライン数を少なくでき、ＥＣＵの増加時に配線数やコネクタピン数の増加を軽減することができる。
また、伝送ラインが少なくなるのでそれだけ外来ノイズ等が重畳される率が低減される。
【００２２】
実施例２．
図３はこの発明の実施例２を示すブロック図である。
図において、図１と対応する部分には同一符号を付し、その詳細説明は省略する。
本実施例も、電子制御部としてのＥＣＵ１０Ｂと診断装置２０とが１本のシリアル通信伝送ライン３１で接続される半二重通信方式の例である。
【００２３】
本実施例において、一端が診断装置２０のインタフェース部２３に接続されたシリアル通信伝送ライン３１の他端をＥＣＵ１０Ｂの信号分離手段としての信号分離回路１６に接続する。信号分離回路１６はバイアス電圧に書き換えデータの変調信号が重畳されてなる信号よりバイアス電圧と書き換えデータとを分離して得るためのものである。
信号分離回路１６で分離して得られる書き換えデータをインタフェース部１３を介してＣＰＵ１１に供給し、同様に信号分離回路１６で分離して得られるバイアス電圧をＥＥＰＲＯＭ１２の端子Ｖppに供給する。
本実施例は以上のように構成し、その他は図１の例と同様に構成する。
【００２４】
次に動作について説明する。
ＥＣＵ１０ＢのＥＥＰＲＯＭ１２のデータ内容を書き換えるときは、診断装置２０のＣＰＵ２１は電圧発生器２２を制御し、この電圧発生器２２より出力される電圧を能動状態（５Ｖ）からデータ書き換え電圧（１２Ｖ）に上昇させる。
そして、図４に示すようにＴ1時間後から始まるデータ送信時間Ｔ0内に診断装置２０のＣＰＵ２１より出力される書き換えデータ（図示の例では“２３”）がインタフェース部２３および伝送ライン３１を介してＥＣＵ１０Ｂの信号分離回路１６に伝送される。この場合、図示のように電圧Ｖａ，Ｖｂで変調されたパルス信号が書き換えデータとしてデータ書き換え電圧である１２Ｖに重畳され、これにより書き換えデータはデータ書き換え電圧と同時にシリアル通信伝送ライン３１を使用して伝送される。
【００２５】
ＥＣＵ１０Ｂの信号分離回路１６では書き換えデータよりバイアス電圧としてのデータ書き換え電圧が分離され、このデータ書き換え電圧はＥＥＰＲＯＭ１２の端子Ｖppに供給される。その後に、信号分離回路１６では電圧Ｖａ，Ｖｂで変調されたパルス信号が分離されて書き換えデータとして得られ、この書き換えデータはインタフェース部１３に供給され、さらにＣＰＵ１１を介してＥＥＰＲＯＭ１２に伝送される。これにより、ＥＥＰＲＯＭ１２のデータ内容の書き換えが行われる。
以上の伝送手順を繰り返すことで、ＥＥＰＲＯＭ１２のデータ内容の全てを書き換えることができる。
【００２６】
このように本実施例においては、シリアル通信伝送ライン３１を使用してデータ書き換え電圧を診断装置２０のＣＰＵ２１からＥＣＵ１０ＢのＥＥＰＲＯＭ１２の端子Ｖppに伝送してデータ内容の書き換えを行うため、データ書き換え電圧を伝送するための専用の伝送ラインが不要となることから伝送ライン数を少なくでき、ＥＣＵの増加時に配線数やコネクタピン数の増加を軽減することができる。
また、伝送ラインが少なくなるのでそれだけ外来ノイズ等が重畳される率が低減される。
【００２７】
実施例３．
なお、上記実施例２では、パルス数によって変調されたデータをデータ書き換え電圧に重畳して伝送するものであるが、書き換えデータを直流電圧レベル、パルス幅、周波数等で変調してデータ書き換え電圧に重畳して伝送するようにしてもよい。
図５は、書き換えデータを直流電圧レベルで変調した場合の信号例を示している。
かくして、本実施例でも上記実施例と同様の作用効果が得られる。
【００２８】
実施例４．
また、上記実施例では、１本のシリアル通信伝送ライン３１でもってＥＣＵ１０Ａまたは１０Ｂと診断装置２０が半二重通信方式で通信する例を示したが、図６に示すように全二重通信方式（両方向通信方式の一種で、同時送受信によって相互の通信を行う複信方式）で通信を行うものでは、シリアル通信伝送ラインの一方の伝送ライン３１ａをＥＥＰＲＯＭ１２のデータ書き換え時にはデータ書き換え制御部としての診断装置２０Ａの通信方式切換器２４により半二重通信に切り換えると共に、他方の伝送ライン３１ｂをデータ書き換え電圧を送信するための伝送ラインとして使用してもよい。
【００２９】
そして、この場合も、上述と同様に伝送ライン３１ｂを介してインタフェース部１３に供給されるデータ書き換え電圧は次段の信号分離手段としての信号分離回路１７で伝送ライン３１ａからの書き換えデータより分離された後にＥＥＰＲＯＭ１２の端子Ｖppに供給され、ＥＥＰＲＯＭ１２のデータ内容の書き換えが行われる。
このようにして本実施例でも、データ書き換え電圧を伝送するための専用の伝送ラインが不要となることから伝送ライン数を少なくでき、ＥＣＵの増加時に配線数やコネクタピン数の増加を軽減することができる。また、伝送ラインが少なくなるのでそれだけ外来ノイズ等が重畳される率が低減される。
【００３０】
実施例５．
また、上記実施例では、１個の書き換えデータを伝送する場合を示したが、電圧発生器２２よりデータ書き換え電圧が出力されている時間Ｔvpp内に複数個の書き換えデータを送ることも可能である。この場合、ｎを書き換えデータの個数とすると、Ｔvpp≧（Ｔ1＋Ｔ0＋Ｔ2）×ｎを満足すれば、一層高効率のデータ書き換えを行うことができる。
【００３１】
実施例６．
また、上記実施例では、この発明を車両用ＥＣＵに適用した場合について説明したが、これに限定されることなく、その他の用途、例えば航空機や船舶用のＥＣＵにも同様に適用でき、同様の効果を奏する。
【００３２】
【発明の効果】
請求項１の発明によれば、データ記憶手段を有する電子制御部とデータ書き換え制御部との間に単一のシリアル通信伝送ラインが配設され、データ書き換え制御部より電子制御部のデータ記憶手段にデータ書き換え電圧および書き換えデータを伝送してデータ記憶手段に記憶されるデータの内容を書き換える電子機器のデータ書き換え装置であって、電子制御部は書き換えデータを一時的に記憶する一時記憶手段を有し、データ書き換え時には、データ書き換え制御部より書き換えデータを単一のシリアル通信伝送ラインを介して電子制御部の一時記憶手段に伝送して記憶させた後、データ書き換え制御部よりデータ書き換え電圧を単一のシリアル通信伝送ラインを介して電子制御部のデータ記憶手段に伝送すると共に、一時記憶手段より書き換えデータを読み出してデータ記憶手段に伝送してデータの書き換えを行うものであり、単一のシリアル通信伝送ラインを使用してデータ書き換え電圧をデータ記憶部に伝送してデータ内容の書き換えを行うため、データ書き換え電圧を伝送するための専用の伝送ラインが不要となることからデータ伝送ライン数を少なくでき、以て、電子制御部の増加時に配線数やコネクタピン数の増加を軽減でき、構成の簡略化、低廉化等を図ることが可能となり、しかも、伝送ラインが少なくなるのでそれだけ外来ノイズが重畳される率が低減され、精度の高いデータの書き換えが可能になる等の効果がある。
【００３３】
請求項２の発明によれば、データ記憶手段を有する電子制御部とデータ書き換え制御部との間に単一のシリアル通信伝送ラインが配設され、データ書き換え制御部より電子制御部のデータ記憶手段にデータ書き換え電圧および書き換えデータを伝送してデータ記憶手段に記憶されるデータの内容を書き換える電子機器のデータ書き換え装置であって、電子制御部はデータ書き換え電圧に書き換えデータの変調信号を重畳した重畳信号からデータ書き換え電圧および書き換えデータを分離して得る信号分離手段を有し、データ書き換え時には、データ書き換え制御部より重畳信号を単一のシリアル通信伝送ラインを介して電子制御部の信号分離手段に伝送し、この信号分離手段よりデータ記憶手段にデータ書き換え電圧および書き換えデータを伝送してデータの書き換えを行うものであり、単一のシリアル通信伝送ラインを使用してデータ書き換え電圧をデータ記憶部に伝送してデータ内容の書き換えを行うため、データ書き換え電圧を伝送するための専用の伝送ラインが不要となることから伝送ライン数を少なくでき、以て、電子制御部の増加時に配線数やコネクタピン数の増加を軽減でき、構成の簡略化、低廉化等を図ることが可能となり、しかも、伝送ラインが少なくなるのでそれだけ外来ノイズが重畳される率が低減され、精度の高いデータの書き換えが可能になる等の効果がある。
また、変調信号として書き換えデータをパルス数、電圧レベル、パルス幅、周波数等で変調したものを使用するので、請求項２の発明の効果に加えて、さらに、電子制御部の信号分離手段では変調信号より書き換えデータおよびデータ書き換え電圧を容易に分離でき、データ書き換えの迅速化に寄与できる等の効果がある。
【００３５】
請求項３の発明によれば、データ記憶手段を有する電子制御部とデータ書き換え制御部との間に第１および第２のシリアル通信伝送ラインが配設されて全二重通信が行われると共に、データ書き換え制御部より電子制御部のデータ記憶手段にデータ書き換え電圧および書き換えデータを伝送してデータ記憶手段に記憶されるデータの内容を書き換える電子機器のデータ書き換え装置であって、データ書き換え時には、第１のシリアル通信伝送ラインを使用する半二重通信方式に切り換えると共に、第２のシリアル通信伝送ラインをデータ書き換え電圧伝送ラインとし、データ書き換え制御部は、データ書き換え電圧を第２のシリアル通信伝送ラインを介して電子制御部のデータ記憶手段に伝送すると共に、書き換えデータを第１のシリアル通信伝送ラインを介して電子制御部のデータ記憶手段に伝送してデータの書き換えを行うものであり、全二重通信を行うための一方のシリアル通信伝送ラインを介してデータ書き換え電圧を伝送するため、データ書き換え電圧を伝送するための専用の伝送ラインが不要となることから伝送ライン数を少なくでき、以て、電子制御部の増加時に配線数やコネクタピン数の増加を軽減でき、構成の簡略化、低廉化等を図ることが可能となり、しかも、伝送ラインが少なくなるのでそれだけ外来ノイズが重畳される率が低減され、精度の高いデータの書き換えが可能になる等の効果がある。
【図面の簡単な説明】
【図１】  この発明に係る電子機器のデータ書き換え装置の実施例１を示す構成図である。
【図２】  この発明に係る電子機器のデータ書き換え装置の実施例１におけるデータ書き換え電圧および書き換えデータの伝送を説明するための図である。
【図３】  この発明に係る電子機器のデータ書き換え装置の実施例２を示す構成図である。
【図４】  この発明に係る電子機器のデータ書き換え装置の実施例２におけるデータ書き換え電圧および書き換えデータの伝送を説明するための図である。
【図５】  この発明に係る電子機器のデータ書き換え装置の実施例３における変調信号の他の例を示す図である。
【図６】  この発明に係る電子機器のデータ書き換え装置の実施例４を示す構成図である。
【図７】  従来の電子機器のデータ書き換え装置の一例を示す構成図である。
【図８】  従来例におけるデータ書き換え電圧および書き換えデータの伝送を説明するための図である。
【符号の説明】
１０Ａ，１０Ｂ，１０Ｃ  車両用電子コントロールユニット（ＥＣＵ）、１１  ＥＣＵ用のＣＰＵ、１２  ＥＥＰＲＯＭ、１３  インタフェース部、１４，１６  信号分離回路、１５  ＲＡＭ、２０，２０Ａ  診断装置、２１  診断装置用のＣＰＵ、２２  データ書き換え電圧発生器、２３  インタフェース部、３１，３１ａ，３１ｂ  シリアル通信伝送ライン、３２  データ書き換え電圧伝送ライン。
【図１】
0003685341.tif 000002
【図２】
0003685341.tif 000003
【図３】
0003685341.tif 000004
【図４】
0003685341.tif 000005
【図５】
0003685341.tif 000006
【図６】
0003685341.tif 000007
【図７】
0003685341.tif 000008
【図８】
0003685341.tif 000009